(57)【要約】  競技のトレーニングあるいは競技全体にわたって、異なるポイントで個人の栄養摂取の管理を支援するための方法を提供する。競技それ自体に関する情報に加えて競技種目に参加する個人に関する情報を収集し、この情報に基づいたフィードバックを個人への提供し、個人の発汗時のエネルギーレベルを監視し、個人の栄養補給する計画を調整するためにこの情報を使用する。一形態では、個人は自分の情報を提供し、ウェブベースのブラウザあるいはモバイル装置のアプリケーションを使用して自分用にカスタマイズされた栄養補給する計画にアクセスするようにしてもよい。
2015508926.tif 000002
【特許請求の範囲】
【請求項１】
競技種目の準備、該競技種目の最中、および、該競技種目後において個人の栄養摂取を管理する方法であって、
ａ．  競技種目の種類、持続時間、および、強度を含む前記個人からの情報を収集するステップと、
ｂ．  前記競技種目の前、前記競技種目の最中、および前記競技種目後に摂取する適切な栄養を含む前記個人の栄養補給計画を作成するために前記情報を評価するステップと、
ｃ．  発汗時に前記個人のエネルギーレベルを監視して、発汗時に栄養補給計画を調整するために前記個人のエネルギーレベルを使用するスッテプと、
を備えた方法。
【請求項２】
前記栄養が、炭水化物エネルギー、水分、タンパク質、および電解質を含むことを特徴とする請求項１記載の方法。
【請求項３】
前記競技種目で運動能力の強化を達成するための前記炭水化物エネルギー、水分、タンパク質、および、電解質の量が、前記栄養補給計画に含まれることを特徴とする請求項２記載の方法。
【請求項４】
前記個人から収集した情報が、前記競技種目に関して、前記個人が競技活動を行う日の時間、スポーツ選手のレベルのタイプ、および、前記個人の全体的な目的または目標をさらに含むことを特徴とする請求項１記載の方法。
【請求項５】
前記方法が、少なくとも２つの統合されたレベルを含んでいることを特徴とする請求項１記載の方法。
【請求項６】
第１のレベルは、前記競技種目の準備および参加に必要とされる炭水化物エネルギー、水分、タンパク質、および、電解質を前記個人に提供し、
第２のレベルは、前記競技種目の準備および参加に必要とされる炭水化物、タンパク質、水分および電解質の特定の種類および量を個人に提供することを特徴とする請求項５記載の方法。
【請求項７】
適切な時に栄養を受け付けるように個人の身体をトレーニングすることにより、個人の運動能力を高める方法であって、
ａ．  競技種目の種類、該競技種目の持続時間、該競技種目の強度、前記個人が競技活動を行なう日の時間、スポーツ選手のレベルのタイプ、および、前記個人の競技種目に関する全体的な目的または目標を含む、前記競技活動に関する前記個人からの情報を収集するステップと、
ｂ．  前記競技種目の前、前記競技種目の最中、および、前記競技種目の後に摂取する炭水化物エネルギー、水分、タンパク質および電解質の提案された量を含む前記個人の栄養補給計画を作成するために情報を評価するステップと、
ｃ．  スポーツ選手が競技種目に参加する日ごとに、発汗時の前記個人のエネルギーレベルを監視するステップと、
を備えた方法。
【請求項８】
前記競技種目は、全力疾走または高負荷、強いトレーニング、団体競技、持久力、心肺トレーニングまたはクロストレーニング、および、１日２回のトレーニングから成る群から選ばれることを特徴とする請求項１または７記載の方法。
【請求項９】
前記栄養補給計画には、前記競技種目の前、前記競技種目の後、および、前記競技種目の最中に摂取する炭水化物エネルギー、水分、タンパク質、および電解質に関する特定の食品を確定することが含まれることを特徴とする請求項２または７記載の方法。
【請求項１０】
前記栄養補給計画が、炭水化物エネルギー、水分、タンパク質、および電解質が個人によって摂取されるべき特定の時間を特定することを特徴とする請求項２または７記載の方法。
【請求項１１】
前記競技種目の前、前記競技種目の最中、および、前記競技種目の後に、前記個人によって摂取された炭水化物エネルギー、水分、タンパク質、および電解質の合計と種類を追跡するステップをさらに備えることを特徴とする請求項２または７記載の方法。
【請求項１２】
前記ステップが、ウェブベースのブラウザを使用して行なわれる請求項１または７記載の方法。
【請求項１３】
前記ステップが、モバイル装置アプリケーションを使用して行なわれる請求項１または７記載の方法。
【請求項１４】
前記栄養補給計画が、報告書の形式で前記個人に提供される請求項１または７記載の方法。
【請求項１５】
前記報告書は、設定された期間にわたって、前記個人の全ての競技活動を集めたものを含むことを特徴とする請求項１４記載の方法。
【発明の詳細な説明】
【関連出願の相互参照】
【０００１】
この出願は、２０１２年２月１７日に提出された米国の仮出願番号６１／６００，１９９の利益を主張し、その全ての開示が参照され組込まれる。
【技術分野】
【０００２】
本開示は、トレーニングまたは競技の全体にわたって様々なポイントで、栄養の摂取を管理することにより個人がすぐれた運動能力を達成するのを支援する方法に関係する。
【背景技術】
【０００３】
競技活動あるいは競技種目に準備を行なって参加する際に、大部分の人は、運動能力を高めたり最適にしたりするために摂取する必要な栄養の種類や量がわからない。個々の人は、競技種目のためのトレーニングをサポートしたり目標を達成したりするために、適切な時に適切な栄養を必要とする。従って、パフォーマンスを最大限にするために、人は特定の時間に栄養を受け付けるように体を訓練する必要がある。摂取をモニターする既存の方法あるいはシステムは、単に栄養を追跡しているが、それは練習や運動のパフォーマンスを高める目的のために栄養を摂取することとは直接関連するものではない。したがって、この分野で、必要なことは、スポーツ科学とスポーツ栄養学に根ざして、トレーニングや競技大会中に様々なポイントで、個別に栄養摂取の管理を支援するための方法である。
【発明の概要】
【課題を解決するための手段】
【０００４】
本開示は、個人がトレーニングまたは競技種目に参加するために、特別に計画された栄養摂取を管理する方法に関する。特に、本開示は、次のものに関係する。活動の種類の評価、競技の時間、活動の持続時間、競技の強度、競技に対して設定された目標、および、競技に参加するスポーツ選手のタイプにアクセスし、特定の栄養を摂取する計画またはスケジュールを着信し、栄養スケジュールで特定された食糧の摂取するように個人に指示を与え、そして、個人に必要な栄養に関するよりよい指示を与えるために、特に、発汗時のその人のエネルギーレベルを個別のフィードバックを評価する。別の形態では、この方法では、インターネットや、活動中にスポーツ選手が持っているモバイル装置のアプリケーションなどで、電子的に提供されるようにしてもよい。
【図面の簡単な説明】
【０００５】
【図１】開示の一形態に従って利用されるネットワークアーキテクチャおよび栄養計画サーバの一例を説明する。
【図２】一実施形態に従って、競技中に栄養の摂取を管理するコンピューターに実装された方法の例のフローチャートである。
【発明を実施するための形態】
【０００６】
本開示は、競技種目に備えてトレーニングしている間や競技を行っている間の栄養摂取を管理する方法に関するものである。本開示は、個人に関する具体的な情報の受信に続いて、発汗時にその人のエネルギーレベルに関するフィードバックを提供するための方法を個人に提供する。実施形態では、この情報を、競技のタイプ、強度、および持続時間を一緒に用いて、個人の栄養を摂取する計画を生成する。以下に、より詳細に説明される方法では、個々のスポーツ選手が、体をトレーニングして特別の競技種目でその人の成績を上げて最大限にするために、適切な時に栄養を受け付けるのを支援する。この方法は、競技活動の種類および個人がトレーニングや競技を行う日の時間に基づいて、栄養を摂取する計画を生成する。
【０００７】
図１は、本開示の１つまたは複数の例示的な形態を実装するために使用することができるネットワークアーキテクチャおよび栄養計画処理装置の一例を示す図である。様々なネットワークのノード１０３、１０５、および１０９は、インターネットなどのワイドエリアネットワーク（ＷＡＮ）１０１を介して相互に接続することができる。他のネットワークを一緒または代わりに、使用するようにしてもよく、ネットワークには、プライベートイントラネット、企業ネットワーク、ＬＡＮ、無線ネットワーク、パーソナルネットワーク（ＰＡＮ）などが含まれる。ネットワーク１０１は、例示であり、より少ないコンピュータネットワーク、または、コンピュータネットワークを追加したものに置き換えることができる。ローカルエリアネットワーク（ＬＡＮ）は、任意の既知のＬＡＮトポロジーを一つ以上持っていればよく、イーサネット（登録商標）などの様々な異なるプロトコルの一つ以上を用いるものであってもよい。装置１０３、１０５、１０７、１０９や他の装置（例えば、スポーツウォッチ１０８および／または図示しない他の機器など）は、ツイストペア線、同軸ケーブル、光ファイバ、電波またはその他の通信媒体を介して、一つ以上のネットワークに接続するようにしてもよい。一実施形態では、装置は、タブレット端末または他のタッチスクリーンコンピューティング装置を含むようにしてもよい。
【０００８】
本明細書で使用され、図面に示されているように、用語「ネットワーク」は、遠隔の記憶装置が１つ以上の通信経路を介して接続されているシステムを指すだけでなく、記憶機能を有するシステムに時々接続されるスタンドアローンの装置をも含む。したがって、用語「ネットワーク」は「物理的なネットワーク」だけでなく、すべての物理ネットワーク上で存在することができるデータ（単一の団体に帰属する）から構成されている「コンテンツネットワーク」を含むものである。
【０００９】
構成要素には、栄養計画サーバ１０３、食事情報サーバ１０５、モバイル装置１０７、スポーツウォッチ１０８、および／またはユーザコンピュータ１０９が含まれる。一実施形態では、栄養計画サーバ１０３は、ここに記述され開示された１つ以上の実例となる形態を実行するために１つ以上データ収集部（例えば、データベース）および制御ソフトウェアへのアクセス、制御、および管理を全て提供するものであってもよい。一実施形態では、栄養計画サーバ１０３は、食事情報サーバ１０５に接続して、ユーザが対話入力を行って要求されたデータを取得する。あるいは、栄養計画サーバ１０３が、食事情報サーバ自体として機能し、インターネットに直接接続されてもよい。栄養計画サーバ１０３は、直接接続または間接接続、あるいは、いくつかの他のネットワークを経由して、ネットワーク１０１（例えば、インターネット）を通じて栄養情報サーバ１０５に接続する。ユーザは、例えば、リモートコンピュータ１０９を使用して栄養計画サーバ１０３に対話入力してもよく、例えば、１つ以上の外部的に置かれた食事情報サーバ１０５によって提供されたウェブサイト経由でウェブブラウザを使用して栄養計画サーバ１０３に接続する。さらに、ユーザはスポーツ時計１０８あるいはモバイル装置１０７から栄養計画サーバ１０３に対話入力を行う。このような装置は、保存されたデータにアクセスするために栄養計画サーバ１０３と一緒に使用されてもよく、あるいは他の目的に使用されてもよい。例えば、装置１０９から、当技術分野で知られているように、インターネットブラウザを用いてユーザは食事情報サーバ１０５にアクセスすることができる、あるいは、コンピュータネットワーク（インターネットのような）上の食事情報サーバ１０５および／または栄養計画サーバ１０３と通信を行うための、非一時的なコンピューター読取可能な媒体に記憶されたコンピューター実行可能な命令を実行することによって、食事情報サーバ１０５にアクセスすることができる。
【００１０】
サーバとアプリケーションは、同じ物理的なマシン上で組み合わせられ、個別の仮想アドレスまたは論理アドレスを保持する、あるいは、個別の物理的なマシン上に常駐するものでもよい。図１は、使用されるネットワークアーキテクチャの一例を単に説明するためのものである。また、当業者であれば、さらに、ここに記述されるように、使用される特定のネットワークアーキテクチャおよび処理装置を変えてもよく、それらが提供する機能性は二次的なものであることを十分に理解されるであろう。例えば、食事情報サーバ１０５および栄養計画サーバ１０３によって提供されるサービスは、単一のサーバ上で組み合わせられるものであってもよい。
【００１１】
コンポーネント１０３、１０５、１０７、１０８および１０９の１つ以上は、任意のタイプの既知のコンピューター、サーバ、あるいはデータ処理装置であってもよい。栄養計画サーバ１０３の例を見ると、それは、栄養計画サーバ１０３の全体の動作を制御するプロセッサー１１１を備えていてもよい。栄養計画サーバ１０３は、さらにＲＡＭ１１３、ＲＯＭ１１５、メモリ１２１および／または非一時的なコンピューター読取可能な１つ以上の媒体を備えていてもよい。一例として、メモリ１２１は、栄養計画サーバ１０３の全体的な動作を制御するためのオペレーティングシステムソフトウェア１２３、ここに記載される開示された形態を実行するように栄養計画サーバ１０３に命じる制御ロジック１２５、二次的なサポートおよび／または本願の開示の形態と共に使用されることも使用されないこともある他の機能を提供する他のアプリケーションソフト１２７を記憶するものであってもよい。ここでは、制御ロジック１２５も栄養計画サーバソフトウェアとして参照する。栄養計画サーバソフトウェアの機能が、制御ロジックにコード化された規則に基づいて自動的に決められる動作または決定を参照し、ユーザによって手動でシステムに入力し、および／または、ユーザ入力に基づいた自動処理の組み合わせ（例えば、クエリー、データアップデートなど）を提供するようにしてもよい。構成要素１０５、１０７、１０８および１０９が、栄養計画サーバ１０３に関して上述で説明されたものと同様のハードウェアコンポーネント（例えば、プロセッサー、ＲＡＭ／ＲＯＭ、メモリなど）をさらに備えたものでよいことを、当業者であれば理解できるであろう。
【００１２】
栄養計画サーバ１０３は、さらに、ネットワークインターフェイス１１７および／または入出力インターフェース１１９（例えば、キーボード、マウス、ディスプレイ、プリンタなど）を備えていてもよい。Ｉ／Ｏ１１９は、データあるいはファイルの読み取り、書き込み、表示および／または印刷を行うための様々なインタフェースユニットおよびドライブを備えている。メモリ１２１は、さらに第１のデータベース１２９および第２のデータベース１３１を含む１つ以上の開示された形態を実行するときに使用されるデータを格納する。いくつかの実施形態では、第１のデータベースは第２のデータベース（例えば、個別のテーブル、レポートなど）を含んでいてもよい。すなわち、情報は、単一のデータベースに格納してもよいし、あるいは、システム設計に応じて異なる論理データベース、仮想データベース、あるいは物理データベースへ分けるようにしてもよい。装置１０５、１０７、１０９には、装置１０３に関して記述されたものと同様のアーキテクチャーまたは異なるアーキテクチャーであってもよい。ここに記述されるようなデータ処理装置１０３（あるいは装置１０５、１０７、１０９）の機能が、例えば、地理的な位置、ユーザのアクセスレベル、サービスの質（ＱｏＳ）などに基づいてトランザクションを分けて、多数のコンピューターに亘って処理の負荷を分配するために、多数のデータ処理装置に拡がってもよいことを、当業者であれば認識するであろう。
【００１３】
開示の１つ以上の形態では、コンピューター使用可能または読取り可能なデータ、および／または、１台以上のコンピューター、あるいは、ここに記述される他の装置によって実行される、例えば、１つ以上のプログラムモジュール内のコンピューター実行可能な命令で具体化されるかもしれない。一般に、プログラムモジュールには、ルーチン、プログラム、オブジェクト、コンポーネント、データ構造などが含まれ、コンピューターあるいは他の装置中のプロセッサーによって実行されると、特別のタスクが実行されたり、特定の抽象データ型が組み込まれたりする。モジュールは、コンパイルした後に実行されるソース・コード・プログラミング言語で書かれるか、ＨＴＭＬまたはＸＭＬ（しかし、これらに限られない）のようなスクリプト言語で書かれてもよい。コンピューター実行可能な命令は、ハードディスク、光ディスク、脱着可能な記憶媒体、ソリッドステートメモリ、ＲＡＭなどのコンピューター読取り可能な媒体に格納される。様々な実施形態において求められるように、プログラムモジュールの機能が組み合わせられたり分けられたりすることは、当業者であれば当然理解されるであろう。さらに、機能は、全体あるいは一部分が、集積回路やフィールドプログラマブルゲートアレイ（ＦＰＧＡ）などのファームウェアまたはハードウェアの均等物で具体化されてもよい。特別のデータ構造は、開示の１つ以上の形態をより有効に実施するために使用されてもよい。また、そのようなデータ構造は、ここに記述されたコンピューター実行可能な命令およびコンピューター使用可能なデータの範囲内に含まれるものと考えられる。
【００１４】
本開示の一形態では、それぞれの人が、練習／スポーツ／活動の種類（球技、陸上競技、ランニング、エアロビクス、ヨガ、水泳、ウェイトトレーニングなどを含むが、これに限られず任意の心血管（cardiovascular）トレーニングや筋肉トレーニングの活動を含んでいるものであればよい）、競技を行う時間あるいは時刻や、活動の期間、強度（毎時燃焼カロリー数として測定される）、スポーツ選手のタイプやレベル（専門家、エリート、実年齢のグループ、フィットネス、レクリエーション、初心者）および個人の全体的な目的または目標（パフォーマンス、減量、健康／フィットネス、筋肉増進、回復、レクリエーション）に関する情報を選ぶ。例えば、この方法では、午前練習、夕方大会１日に２種類の競技種目などの選択するのを支援する。スポーツ選手によって提供される情報が、評価され、栄養補給する計画が生成される。栄養補給する計画は、競技種目の準備または参加を行うために、適切なタイミングで適切な栄養を選択する方法を個人に指示し、また、特定の栄養に関して選ばれた食物から選択を特定する。例えば、特定の食べ物には、クリームチーズや特定の果物などの食品（食品のそれぞれは、特に、特定の栄養の種類（複合糖質、タンパク質、単炭水化物など）と各特定された栄養の量に関連している）を載せたベイグルが含まれる。開示の一形態では、この情報は、競技前、競技中、競技後に必要な栄養に関連づけて収集される。個人が、それぞれが練習や競技大会の日ごとに、摂取した栄養の種類および合計を追跡し特定したものを含めてフィードバックおよび／または進捗を記録し、その情報はその日の栄養スコアを生成するために使用される。具体的には、フィードバックは、競技中と、トレーニングまたは競技大会の日ごとに、その人のエネルギーの感覚について個人から情報を収集することで行われる。特に、個人が、発汗時、つまり個人が汗をかき始めた瞬間に、その人のエネルギーの感覚を記録する。開示の形式では、栄養スコアが、特定の日に摂取された栄養の量と結び付けて、設定され、あるいは、いくつかの基準に従って調節されるが、いつも通りトレーニングを行った日や競技を行った日に、その人のエネルギーレベルに関する個人の反応が含まれるのが好ましい。方法の１つの形式では、個人はその人のエネルギー評価だけでなく時間の経過とともに栄養スコアを表示するグラフが含まれる報告書の形式でフィードバックを受け取る。ここで用いられる「競技種目」あるいは「競技活動」は、あらゆるスポーツ活動に関連するあらゆる種類のトレーニングや競技大会をいう。したがって、一形態によれば、栄養計画に含まれた競技種目には、特別の競技大会の活動に特有のトレーニングだけでなくクロストレーニング練習も含んでいてもよく、栄養計画の一形態には、与えられた期間の競技の活動を全て集めた報告書が含まれる。別の形態では、栄養のスコアは、競技大会とは別のトレーニングのように異なる活動のためのスコアとに分けられるようにしてもよい。
【００１５】
別の実施形態では、様々なセンサーが、個人に関する情報を収集し、その情報を栄養計画サーバ１０３に送信するようにしてもよい。センサーは様々な生物センザーおよび活動センサーを含んでいるものであってもよい。
【００１６】
本開示の方法には、少なくとも２つの統合されたレベルを含むことができる。第１のレベルは、個人が摂取するべき栄養（例えば、炭水化物、タンパク質および電解質）と栄養をどのようなタイミングで供給するのかを詳細に特定した計画を生成するために、情報を集めて、計算を行なうように構成する。しかしながら、このレベルでは、炭水化物またはタンパク質の種類、あるいは、炭水化物またはタンパク質の量は特定しない。従って、第１のレベルから生成された情報は、競技種目の準備をして参加する際に、個人が摂取すべき必要な栄養（炭水化物エネルギー、流体、タンパク質および電解質を含む）で構成される。
【００１７】
本出願の別の形態では、システムまたは方法の第２のレベルでは、レベル１で特定された栄養の特定の種類および量に関して個人に提供される情報（指定された競技種目の前、競技種目の最中、競技種目の後などの特定のタイミングで摂取されるべき、グルコース、果糖、ショ糖、マルトデキストリンなどから成る群から選ばれた特定の炭水化物の種類を含むが、これに限られるものではない）を生成する。
【００１８】
本開示の一形態では、個人が第１のレベルが完成した後にだけ、その人は第２のレベルを利用することができるようにしてよい。本出願の別の形態では、個人がその方法を以前に使用していれば、あるいは、個人が競技種目に備えて栄養補給する経験を持っているような場合には、その人は第２のレベルでその方法を開始してもよい。一形態では、栄養計画をより詳細に提供し、かつ、個人の燃料効率のレポートを提供するために、第３のレベルも個人によって生成され使用されるようにしてもよい。その人が第１および／または第２のレベルを完成した後や、栄養摂取および効率を管理する第２のレベルの使用を熟練しているようになった後であれば、このレベルには個人が任意にアクセスできるようにしてもよい。第３のレベルでは、この方法に、適切に栄養補給する情報を組み入れて、健康とパフォーマンスのために個人に全面的な栄養計画を提供することが含まれる。
【００１９】
本出願のいくつかの形態の例を以下に示す。
【００２０】
例１:下記は、全力疾走や高負荷の競技種目に対して栄養補給する計画の例である
【００２１】
【表１】
2015508926.tif 000003
【００２２】
【表２】
2015508926.tif 000004
【００２３】
【表３】
2015508926.tif 000005
【００２４】
例２:下記は、筋肉トレーニングの競技種目に対して栄養補給する計画の例である。
【００２５】
【表４】
2015508926.tif 000006
【００２６】
【表５】
2015508926.tif 000007
【００２７】
【表６】
2015508926.tif 000008
【００２８】
例３:下記は、チームの競技種目に対して栄養補給する計画の例である。
【００２９】
【表７】
2015508926.tif 000009
【００３０】
【表８】
2015508926.tif 000010
【００３１】
【表９】
2015508926.tif 000011
【００３２】
【表１０】
2015508926.tif 000012
【００３３】
【表１１】
2015508926.tif 000013
【００３４】
【表１２】
2015508926.tif 000014
【００３５】
例４:下記は、持久力の競技種目に対して栄養補給する計画の例である。
【００３６】
【表１３】
2015508926.tif 000015
【００３７】
【表１４】
2015508926.tif 000016
【００３８】
【表１５】
2015508926.tif 000017
【００３９】
【表１６】
2015508926.tif 000018
【００４０】
例５:下記は、有酸素（cardio）トレーニングまたはクロストレーニングの競技種目に対して栄養補給する計画の例である。
【００４１】
【表１７】
2015508926.tif 000019
【００４２】
【表１８】
2015508926.tif 000020
【００４３】
【表１９】
2015508926.tif 000021
【００４４】
例６:下記は、１日２回行われるトレーニング競技種目に対して栄養補給する計画の例である。
【００４５】
【表２０】
2015508926.tif 000022
【００４６】
【表２１】
2015508926.tif 000023
【００４７】
個人は、ウェブベースのブラウザあるいはモバイル装置のアプリケーションを使用して、本願の開示のシステムにアクセスするようにしてもよい。つまり、一形態では、システムの異なるレベルで個人から求められた情報を蓄積するために使用される情報の入力をユーザに促し、栄養計画の評価および／または同じ調節を行うためのシステムである。別の形態では、個人は、競技種目が終わった後直ちにあるいは即座に情報を提供してもよい。さらに別の形態では、個人は、食物／栄養摂取と、競技種目および／または栄養摂取に対してリアルタイムで取得したエネルギーのレベルのうち、少なくとも一方に関する情報の中から幾つかまたは全てを提供または蓄積するようにしてもよい。これは、人が携帯しているモバイル装置で記録または送信されたキーストロークやレスポンスによって提供されてもよい。
【００４８】
別の実施形態では、図２に示されるように、ステップ２０２で、情報は栄養計画サーバ１０３で受け取られる。情報は、ユーザが行なう運動競技の活動に関する情報を備えている。情報は、競技種目の種類、競技種目の持続時間、および競技活動の強度など情報を含んでいてもよい。さらに、情報には、ユーザに関する人口学的情報を含んでいてもよい。ステップ２０４で、栄養計画サーバ１０３は受信した情報を評価し、ユーザに栄養補給する計画を作成する。ステップ２０６で、ユーザは発汗時にエネルギーのレベルを記録するためにモニターされる。ステップ２０８で、栄養計画サーバ１０３は、発汗時に、競技中のユーザのエネルギーのレベルに基づいて、栄養補給する計画を修正する。これらの形態の各々は、栄養計画の情報と、栄養計画へのいくらか変更あるいは調節が、個人が身につけているあるいは使用している携帯電話またはウェブベースの装置のようなモバイル装置から個人のもとへ直接送られる。
【００４９】
本発明の実施形態を図示し説明してきたが、これらの実施例は例示することを意図し、本発明の全ての可能な形態を説明したものではない。むしろ、明細書中で使用される文言は、限定するものではなく説明するための文言であり、本発明の精神および範囲から逸脱することなく、様々な変更がなされ得ることが理解される。
【図１】
2015508926.tif 000024
【図２】
2015508926.tif 000025
【国際調査報告】
2015508926.tif 000026
2015508926.tif 000027